(57)【要約】      （修正有）【課題】本発明は、単色光線たる、直線形のＬＥＤの光線を複合波形の分散形の光に変える、植物育成用途に適した複合波形制御装置を提供する。【解決手段】本発明は、同じ波長領域の異なるピーク波長の複合光を利用し、複合光線のＬＥＤの複合光線を作る。具体的には、黄色光ＬＥＤと緑色光ＬＥＤと赤色ＬＥＤと青色光ＬＥＤを用い、当該単色光ＬＥＤ同一光線の波長の範囲にて、異なる最大ピークの波長を有する当該単色光ＬＥＤの２種類以上の複数の最大ピークの波長を有する、当該ＬＥＤを置き並べ設置、配置する。【選択図】なし【特許請求の範囲】
【請求項１】
単独光を有するＬＥＤに於いて、当該単色光ＬＥＤ同一光線の波長の範囲にて、異なる最大ピークの波長を有する当該単色光ＬＥＤの２種類以上の複数の最大ピークの波長を有する、当該ＬＥＤを置き並べ設置、配置したＬＥＤの複合波形制御装置。
【請求項２】
緑色単独光を有するＬＥＤに於いて当該緑色単色光ＬＥＤ同一光線の波長の範囲にて、異なる最大ピークの波長を有する当該緑色単色光ＬＥＤの２種類以上の複数の最大ピークを有する緑色波長の当該緑色ＬＥＤを置き並べ設置、配置したＬＥＤの複合波形制御装置。
【請求項３】
赤色単色光を有するＬＥＤに於いて当該赤色単色光ＬＥＤ同一光線の波長の範囲にて、異なる最大ピークの波長を有する当該赤色単色光ＬＥＤの２種類以上の複数の最大ピークを有する赤色波長の当該赤色ＬＥＤを置き並べ設置、配置したＬＥＤの複合波形制御装置。
【請求項４】
青色単色光を有するＬＥＤに於いて当該青色単色光ＬＥＤ同一光線の波長の範囲にて、異なる最大ピークの波長を有する当該青色単色光ＬＥＤの２種類以上の複数の最大ピークを有する青色波長の当該青色ＬＥＤを置き並べ設置、配置したＬＥＤの複合波形制御装置。
【請求項５】
緑色単色光を有するＬＥＤに於いて当該緑色単色光ＬＥＤ同一光線の波長の範囲にて、異なる最大ピークの波長を有する当該緑色単色光ＬＥＤの２種類以上の複数の最大ピークを有する緑色波長の当該緑色ＬＥＤを置き並べ設置、配置した当該ＬＥＤに黄色光を有するＬＥＤを置き並べ設置、配置したＬＥＤの複合波形制御装置。
【請求項６】
緑色単色光を有するＬＥＤに於いて当該緑色単独光ＬＥＤ同一光線の波長の範囲にて、異なる最大ピークの波長を有する当該緑色単色光ＬＥＤの２種類以上の複数の最大ピークを有する緑色波長の当該緑色ＬＥＤを置き並べ設置、配置した当該ＬＥＤに赤色光を有するＬＥＤを置き並べ設置したＬＥＤの複合波形制御装置。
【請求項７】
赤色単色光を有するＬＥＤに於いて当該赤色単色光ＬＥＤ同一光線の波長の範囲にて、異なる最大ピークの波長を有する当該赤色単色光ＬＥＤの２種類以上の複数の最大ピークを有する赤色波長の当該赤色ＬＥＤを置き並べ設置、配置した当該ＬＥＤに黄色光を有するＬＥＤを置き並べ設置、配置したＬＥＤの複合波形制御装置。
【請求項８】
青色単色光を有するＬＥＤに於いて当該青色単色光ＬＥＤ同一光線の波長の範囲にて、異なる最大ピークの波長を有する当該青色単色光ＬＥＤの２種類以上の複数の最大ピークを有する青色波長の当該青色ＬＥＤを置き並べ設置、配置した当該ＬＥＤに黄色光を有するＬＥＤを置き並べ設置、配置したＬＥＤの複合波形制御装置。
【請求項９】
青色単色光を有するＬＥＤに於いて当該青色単色光ＬＥＤ同一光線の波長の範囲にて、異なる最大ピークの波長を有する当該青色単色光ＬＥＤの２種類以上の複数の最大ピークを有する青色波長の当該青色ＬＥＤを置き並べ設置、配置した当該ＬＥＤに赤色光を有するＬＥＤを置き並べ設置、配置したＬＥＤの複合波形制御装置。
【請求項１０】
「請求項５」、記載の黄色光を有するＬＥＤは、「請求項５」記載の緑色光の複合波形を有する当該ＬＥＤ緑色光の５％を保持した、黄色光を有するＬＥＤを置き並べ設置、配置したＬＥＤの複合波形制御装置。
【請求項１１】
「請求項５」、記載の黄色光を有するＬＥＤは、「請求項５」記載の緑色光の複合波形を有する当該ＬＥＤ緑色光の１０％を保持した、黄色光を有するＬＥＤを置き並べ設置、配置したＬＥＤの複合波形制御装置。
【請求項１２】
「請求項６」、記載の赤色光を有するＬＥＤは、「請求項６」記載の緑色光の複合波形を有する当該ＬＥＤ緑色光の５％を保持した、赤色光を有するＬＥＤを置き並べ設置、配置したＬＥＤの複合波形制御装置。
【請求項１３】
「請求項６」、記載の赤色光を有するＬＥＤは、「請求項６」記載の緑色光の複合波形を有する当該ＬＥＤ緑色光の１０％を保持した、赤色光を有するＬＥＤを置き並べ設置、配置したＬＥＤの複合波形制御装置。
【請求項１４】
「請求項７」、記載の黄色光を有するＬＥＤは、「請求項７」記載の赤色光の複合波形を有する当該ＬＥＤ赤色光の５％を保持した、黄色光を有するＬＥＤを置き並べ設置、配置したＬＥＤの複合波形制御装置。
【請求項１５】
「請求項７」、記載の黄色光を有するＬＥＤは、「請求項７」記載の赤色光の複合波形を有する当該ＬＥＤ赤色光の１０％を保持した、黄色光を有するＬＥＤを置き並べ設置、配置したＬＥＤの複合波形制御装置。
【請求項１６】
「請求項８」、記載の黄色光を有するＬＥＤは、「請求項８」記載の黄色光の複合波形を有する当該ＬＥＤ青色光の５％を保持した、黄色光を有するＬＥＤを置き並べ設置、配置したＬＥＤの複合波形制御装置。
【請求項１７】
「請求項８」、記載の黄色光を有するＬＥＤは、「請求項８」記載の青色光の複合波形を有する当該ＬＥＤ青色光の１０％を保持した、黄色光を有するＬＥＤを置き並べ設置、配置したＬＥＤの複合波形制御装置。
【請求項１８】
「請求項９」、記載の赤色光を有するＬＥＤは、「請求項９」記載の青色光の複合波形を有する当該ＬＥＤ青色光の５％を保持した、赤色光を有するＬＥＤを置き並べ設置、配置したＬＥＤの複合波形制御装置。
【請求項１９】
「請求項９」、記載の赤色光を有するＬＥＤは、「請求項９」記載の青色光の複合波形を有する当該ＬＥＤ青色光の１０％を保持した、赤色光を有するＬＥＤを置き並べ設置、配置したＬＥＤの複合波形制御装置。
【請求項２０】
「請求項５」、「請求項７」、「請求項８」、「請求項１０」、「請求項１１」、「請求項１４」、「請求項１５」、「請求項１６」、「請求項１７」記載の黄色光を有するＬＥＤは、調光を可能にした黄色光を有するＬＥＤを置き並べ設置、配置した当該ＬＥＤの複合波形制御装置。
【請求項２１】
「請求項６」、「請求項９」、「請求項１２」、「請求項１３」、「請求項１８」、「請求項１９」、記載の赤色光を有するＬＥＤは、調光を可能にした、赤色光を有するＬＥＤを置き並べ設置、配置した当該ＬＥＤの複合波形制御装置。
【発明の詳細な説明】
【技術分野】
【０００１】本発明は、単色光のＬＥＤの光線は、直線型の光である為に拡散する光である蛍光灯の光と比べると光の拡散という点にての照射の範囲効果にて考察すると単独光のＬＥＤが直線型の光である為に蛍光灯の光の拡散の度合という比較の点からは、劣っている。それ故に、ＬＥＤの光線の拡散のための、ＬＥＤの複合波形制御装置に関する。
【背景技術】
【０００２】従来、光線を多く拡散させる為に単独光のＬＥＤは、蛍光灯の光線のような光の拡散の力を有する光に比べて劣っている為、より多くの単独光のＬＥＤの設置数量に頼よっていた。
【発明が解決しようとする課題】
【０００３】従来、光を多く拡散させる為に単色光のＬＥＤは、蛍光灯の光のような光の拡散の力を有する点にて劣っている為に、より多くの単独光のＬＥＤの設置数量に頼よっていた。
それ故に多くの単色光のＬＥＤの点灯となり苦慮している。
【課題を解決するための手段】
【０００４】光を多く拡散させる為に単色光のＬＥＤの直線型である波形を蛍光灯の光の如くの拡散波形を有する波形に制御することを特徴とする。
【０００５】単色光のＬＥＤの光線は、直線型の光である為に拡散する光である蛍光灯の光と類似した光線の拡散力を有するＬＥＤの光線の波長を構築しなければならぬ。
【０００６】ＬＥＤの光線は、直線型の光は単独光で同一の光線色の色合いの光線で且つ、同一の波長の範囲内であっても、ピーク波長λｐの違いが生じている。
【０００７】特願  ２０１３−２５９５８１
特願  ２０１４−４９４１３
上記記載の文献にて直線型の単色光のＬＥＤの波長に黄色光線や赤色光線を設置設定している事が列記されている。
【０００８】「［０００６］」、記載のＬＥＤの特性を利用して同一光線色の単色光のＬＥＤにても、単色光の同一の光線色の波長の範囲内にて、同一光線色の当該ＬＥＤの範囲内の波長にてピーク波長λＰの違いを有する。
当該ＬＥＤの同じ光線色の範囲内の当該ＬＥＤのピーク波長λＰの違いを有する光線を二種類以上複数の当該ＬＥＤにてピーク波長λＰの違う当該ＬＥＤを置き並べ、設置、配置し、当該ＬＥＤに構成することにより、単色光の直線型のＬＥＤの波形を変えることが出来る、蛍光灯の光のような光の拡散の力を有する光に変えた、当該同一色の同一光線色の複合波形ＬＥＤを構築した。
【０００９】青色単色光のＬＥＤの波長の範囲は、４１０〜４９０ｎｍ，にて青色光の波長範囲内のＬＥＤのピーク波長は、４５３ｎｍ，４５８ｎｍ，４６６ｎｍのピーク波長を有する当該ＬＥＤのデータとした。
【００１０】赤色単色光のＬＥＤの波長の範囲は、６１０〜６７０ｎｍ，にて赤色光の波長範囲内のＬＥＤのピーク波長は、６２０ｎｍ，６３１ｎｍ，６４０ｎｍのピーク波長を有する当該ＬＥＤのデータとした。
【００１１】緑色単色光のＬＥＤの波長の範囲は、４９０〜５６０ｎｍ，にて緑色光の波長範囲内のＬＥＤのピーク波長は、５１１ｎｍ，５１８ｎｍ，５３０ｎｍのピーク波長を有する当該ＬＥＤのデータとした。
【００１２】青色単色光を有するＬＥＤに於いて当該青色単色光ＬＥＤ同一光線の波長の範囲にて、異なる最大ピーク波長の波長を有する当該青色単色光ＬＥＤの２種類以上の複数の最大ピークを有する青色波長の当該青色ＬＥＤを置き並べ、設置、配置して、当該青色ＬＥＤの複合波形制御装置を構築した。
【００１３】赤色単色光を有するＬＥＤに於いて当該赤色単独光ＬＥＤ同一光線の波長の範囲にて、異なる最大ピーク波長の波長を有する当該赤色単独光ＬＥＤの２種類以上の複数の最大ピークを有する赤色波長の当該赤色ＬＥＤを置き並べ、設置、配置して、当該赤色ＬＥＤの複合波形制御装置を構築した。
【００１４】緑色単独光を有するＬＥＤに於いて当該緑色単色光ＬＥＤ同一光線の波長の範囲にて、異なる最大ピーク波長の波長を有する当該緑色単独光ＬＥＤの２種類以上の複数の最大ピークを有する緑色波長の当該緑色ＬＥＤを置き並べ、設置、配置して、当該緑色ＬＥＤの複合波形制御装置を構築した。
【００１５】青色単色光を有するＬＥＤに於いて当該青色単独光ＬＥＤ同一光線の波長の範囲にて、異なる最大ピーク波長の波長を有する当該青色単色光ＬＥＤの２種類以上の複数の最大ピークを有する青色波長の当該青色ＬＥＤを置き並べ、設置、配置して、当該青色ＬＥＤの複合波形制御装置を構築した。
又、当該青色ＬＥＤの複合波形の５％の黄色光のＬＥＤを置き並べ設置、配置し、当該青色ＬＥＤの複合波形制御装置を構築した。
又当該青色ＬＥＤの複合波形の１０％の黄色光のＬＥＤを置き並べ、設置、配置して、当該青色ＬＥＤの複合波形制御装置を構築した。
又、当該青色ＬＥＤの複合波形の５％の赤色光のＬＥＤを置き並べ設置、配置し、当該青色ＬＥＤの複合波形制御装置を構築した。
又当該青色ＬＥＤの複合波形の１０％の赤色光のＬＥＤを置き並べ、設置、配置して、当該青色ＬＥＤの複合波形制御装置を構築した。
【００１６】赤色単色光を有するＬＥＤに於いて当該赤色単色光ＬＥＤ同一光線の波長の範囲にて、異なる最大ピーク波長の波長を有する当該赤色単色光ＬＥＤの２種類以上の複数の最大ピークを有する赤色波長の当該赤色ＬＥＤを置き並べ、設置、配置して、当該赤色ＬＥＤの複合波形制御装置を構築した。
又、当該赤色ＬＥＤの複合波形の５％の黄色光のＬＥＤを置き並べ設置、配置し、当該赤色ＬＥＤの複合波形制御装置を構築した。
又当該赤色ＬＥＤの複合波形の１０％の黄色光のＬＥＤを置き並べ、設置、配置して、当該赤色ＬＥＤの複合波形制御装置を構築した。
又、当該赤色ＬＥＤの複合波形の５％の青色光のＬＥＤを置き並べ設置、配置し、当該赤色ＬＥＤの複合波形制御装置を構築した。
又当該赤色ＬＥＤの複合波形の１０％の青色光のＬＥＤを置き並べ、設置、配置して、当該赤色ＬＥＤの複合波形制御装置を構築した。
【００１７】緑色単色光を有するＬＥＤに於いて当該緑色単独光ＬＥＤ同一光線の波長の範囲にて、異なる最大ピーク波長の波長を有する当該緑色単独光ＬＥＤの２種類以上の複数の最大ピークを有する緑色波長の当該緑色ＬＥＤを置き並べ、設置、配置して、当該緑色ＬＥＤの複合波形制御装置を構築した。
又、当該緑色ＬＥＤの複合波形の５％の黄色光のＬＥＤを置き並べ設置、配置し、当該緑色ＬＥＤの複合波形制御装置を構築した。
又当該緑色ＬＥＤの複合波形の１０％の黄色光のＬＥＤを置き並べ、設置、配置して、当該青色ＬＥＤの複合波形制御装置を構築した。
又、当該緑色ＬＥＤの複合波形の５％の青色光のＬＥＤを置き並べ設置、配置し、当該青色ＬＥＤの複合波形制御装置を構築した。
又当該緑色ＬＥＤの複合波形の１０％の青色光のＬＥＤを置き並べ、設置、配置して、当該青色ＬＥＤの複合波形制御装置を構築した。
【００１８】本発明によれば当該ＬＥＤの緑色光線を有する緑色ＬＥＤの緑色光の波長の範囲にて、異なるピーク波長を有する当該緑色ＬＥＤの直線型の光線を有する単色光ＬＥＤを２種類以上設置、配置し、置き並べた当該ＬＥＤの波長に「［０００７］」記載のＬＥＤの特性を利用し、黄色光線を有するＬＥＤを設置、配置し置き並べ、蛍光灯の緑色波長に近い波長を構成させた当該ＬＥＤに変えることが出来る。
【００１９】ＬＥＤの点灯の灯数が直線型の単色光線の緑色光のＬＥＤと、緑色光線の波長の範囲以内で、緑色光線の違うピーク波長λＰを有する、当該緑色ＬＥＤを設置、設定し置き並べて、緑色光を拡散させる為に複合光線とした当該ＬＥＤとして緑色光線を有する当該ＬＥＤを構築させることにより、当該単色光の緑色ＬＥＤと複合光に構築した当該ＬＥＤの緑色光による、光線拡散の度合いの違いにより、点灯灯数の減少を促し、多大の利益となる発明であります。
【００２０】表１、表２、表３、表４、表５、表６、表７、表８に基づき説明する。
波形測定は、ＬＥＤ分光放射測定器にて測定波形である。
【００２１】
【表１】
2017098209.tif 000002
【００２２】
【表２】
2017098209.tif 000003
【００２３】
【表３】
2017098209.tif 000004
【００２４】
【表４】
2017098209.tif 000005
【００２５】
【表５】
2017098209.tif 000006
【００２６】
【表６】
2017098209.tif 000007
【００２７】
【表７】
2017098209.tif 000008
【００２８】
【表８】
2017098209.tif 000009
【００２９】  「［００２１］」の表１は青色光のＬＥＤの４５３ｎｍのピーク波長の単色光波形である。
「［００２２］」の表２は赤色光のＬＥＤの６３１ｎｍのピーク波長の単色光波形である。
「［００２３］」の表３は緑色光のＬＥＤの５１１ｎｍのピーク波長の単色光波形である。
「［００２４］」の表４は緑色光のＬＥＤの５１８ｎｍのピーク波長の単色光波形である。
「［００２５］」の表５は緑色光のＬＥＤの５３０ｎｍのピーク波長の単色光波形である。
「［００２６］」の表６は青色光の蛍光灯の複合光波形である。
「［００２７］」の表７は赤色光の蛍光灯の複合光波形である。
「［００２８］」の表８は緑色光の蛍光灯の複合光波形である。
【００３０】次に表９、表１０、表１１、表１２に基づき詳細に説明する。
波形測定は、ＬＥＤ分光放射測定器にて測定波形である。
【００３１】
【表９】
2017098209.tif 000010
【００３２】
【表１０】
2017098209.tif 000011
【００３３】
【表１１】
2017098209.tif 000012
【００３４】
【表１２】
2017098209.tif 000013
【００３５】「［００３１］」の表９は５００ｎｍ〜５５０ｎｍの緑色光の波長の範囲である、「［００２３］」の表３表示の単色光である、緑色光のＬＥＤの５１１ｎｍのピーク波長λＰを有する当該ＬＥＤと５００ｎｍ〜５５０ｎｍの緑色光の波長の範囲である、「［００２５］」の表５表示の単色光である、緑色光のＬＥＤの５３０ｎｍのピーク波長λＰを有する当該ＬＥＤとを置き並べ設置配置したＬＥＤの複合波形を構築した当該ＬＥＤである。
【００３６】「［００３１］」の表９表示の２種類の波形の複合光線を測定すると、波形の山形は、それぞれの波形を組み合わせた形で現れる。
当該図形「［００３１］」の表９は、緑色光の波長の範囲５００ｎｍ〜５５０ｎｍにて、ピーク波長５１１ｎｍがピーク波長５３０ｎｍより照度が強かった為に、２つ山形の内ピーク波形５１１ｎｍの山形が大きくなっている。
【００３７】単独光の緑色光の波長の表示「［００２３］」表３のＹ軸方向の目盛１のピーク波長５１１ｎｍである。
単独光の緑色光の波長の表示「［００２５］」表５Ｙ軸方向の目盛１のピーク波長５３０ｎｍである。
表３、表５共に最大ピークがＹ軸方向にて目盛１である。
しかし、「［００３１］」の表９、複合波形を構築した時には、ピーク波長は相対値となり、２種類の山形の波形の照度の差により、照度の大きい波長と照度の小さい差により２つの山形となる。
【００３８】しかし、緑色光の波長の範囲内にて、同照度で最大ピーク波長は２種類の波形が両方ともに同じ山形になることを条件となるのは、希有な事象である。
【００３９】「［００３２］」の表１０は５００ｎｍ〜５５０ｎｍの緑色光の波長の範囲内である、「［００２３］」の表３表示の単色光である、緑色光のＬＥＤの５１１ｎｍのピーク波長λＰを有する当該ＬＥＤと５００ｎｍ〜５５０ｎｍの緑色光の波長の範囲である、「［００２４］」の表４表示の単色光である、緑色光のＬＥＤの５１８ｎｍのピーク波長λＰを有する当該ＬＥＤと５００ｎｍ〜５５０ｎｍの緑色光の波長の範囲である、「［００２５］」の表５表示の単色光である、緑色光のＬＥＤの５３０ｎｍのピーク波長λＰを有する当該ＬＥＤとを、置き並べ設置配置したＬＥＤの複合波形を構築した「［００３２］」、表１０記載の当該ＬＥＤの波形である。
【００４０】「［００３１］」の表９、「［００３２］」記載の表１０表示の如く、同一波長の範囲の２つ以上の光線の波長にて複合光を構築した場合、波形の大きさは、それぞれの照度に依存して、照度の大きい順に波形の山形の大きさが決まる。
【００４１】次に、ＬＥＤの緑色波長の範囲内の緑色単色光線の「［００２３］」の表３の緑色光線のピーク波長５１１ｎｍとＬＥＤの緑色波長の範囲内の緑色単独光線の「［００２５］」の表５の緑色光線のピーク波長５３０ｎｍとの当該ＬＥＤの複合波形すなわち、「［００３１］」の表９を構築した。
複合波形により光を拡散できる緑色光を有する蛍光灯の光に近い複合光を構築する当該ＬＥＤの複合波形制御装置に関する。
【００４２】パナソニック電工株式会社の平成２１年６月発行のカタログ
パナソニック電工株式会社の平成２０年１０月発行のカタログ
【００４３】次にＬＥＤの緑色波長の範囲内の緑色単独光線の「［００２３］」の表３の緑色光線のピーク波長λＰ５１１ｎｍとＬＥＤの緑色波長の範囲内の緑色単色光線の「［００２５］」の表５の緑色光線のピーク波長λＰ５３０ｎｍとの当該ＬＥＤの複合波形すなわち、「［００３１］」の表９を構築した。
【００４４】「［００３１］」の表９のＬＥＤ複合波形を構築した。
複合波形を有する緑色光の当該ＬＥＤの５％を保持した黄色光のＬＥＤを置き並べ設置設定したＬＥＤの複合波形装置を構築して、「［００３３］」の表１１にて表示した。
【００４５】「［００３１］」の表９のＬＥＤ複合波形を構築した。
複合波形を有する緑色光の当該ＬＥＤの１０％を保持した黄色光のＬＥＤを置き並べ設置設定したＬＥＤの複合波形装置を構築して、「［００３４］」の表１２にて表示した。
【００４６】「［０００７］」特願  ２０１３−２５９５８１、特願  ２０１４−４９４１３
上記記載の文献にて直線型の単色光の緑色ＬＥＤの波長にＬＥＤの黄色光線を置き並べ設置配置したＬＥＤである。
【００４７】しかし当発明は、ＬＥＤの直線型の単色光線の緑色ＬＥＤの波長を同一緑色の波長の範囲内の緑色ＬＥＤのピーク波長を有する、直線型の単色光線の緑色ＬＥＤの波長の２種類以上複数の直線型の単独光線の緑色ＬＥＤを置き並べ設置、設定して直線形である波長を複合波形にし、緑色の光を拡散形にした独自の複合波形を構築した当該ＬＥＤであります。
【００４８】「［００３１］」の記載  表９複合波形を有する当該緑色ＬＥＤに、黄色ＬＥＤの５％を置き並べ設置配置することにより「［００３３］」記載の表１１の当該ＬＥＤの複合波形になる。
【００４９】「［００３６］」記載のパナソニック電工株式会社の平成２１年６月発行のカタログ
パナソニック電工株式会社の平成２０年１０月発行のカタログの表示の如く
黄色の波長域は植物の開花を維持と表示されております。又赤色の波長域は植物の花芽形成が表示されております。
【００５０】当該複合波形のＬＥＤの波長域においての開花維持の領域、「［００３１］」表９のＬ０の領域が「［００３１］」の記載  表９複合波形の当該緑色ＬＥＤの黄色ＬＥＤ５％を置き並べ設置、設置することにより「［００３３］」記載の表１１のＬ０の開花維持領域の黄色光の波形は、変化する、しかしのＬ１の花芽形成の波長域は、波長域には、「［００３１］」  記載の表９、「［００３３］」記載の表１１のＬ１変化の影響は無い。
【００５１】しかるに、［００２８］記載の表８の緑色蛍光灯の如く、植物に点灯照射するときには、花芽分化に影響無く利用可能な複合波形制御装置が構築出来た。
【００５２】次に「［００３１］」の記載  表９複合波形が当該緑色ＬＥＤの１０％の黄色ＬＥＤを置き並べ、設置配置することにより「［００３４］」記載の表１２の当該ＬＥＤ緑色複合波形になる。
【００５３】「［００４２］」記載のパナソニック電工株式会社の平成２１年６月発行のカタログ
パナソニック電工株式会社の平成２０年１０月発行のカタログの表示の如く
黄色の波長域は植物の開花を維持と表示されております。
赤色の波長域は葉の展開、花芽形成と表示されております。
【００５４】当該複合波形のＬＥＤの波長域において「［００３１］」表９のＬ０とＬ１の領域が「［００５０］」記載の如く、「［００３１］」の記載  表９複合波形が当該緑色ＬＥＤの黄色ＬＥＤの５％を１０％にして、置き並べ設置、配置することにより「［００３３］」記載の表１１のＬ０の領域の波形の黄色光有する波形がＹ軸方向に大きく変化する、又のＬ１の葉の展開、花芽形成の波長域は、「［００３１］」記載の表９、の波形比べると、「［００３３］」記載の表１１のＬ１の赤色の領域が変化が大きく出る。
【００５５】しかるに、花芽分化に影響無い植物育成中の時期や、花芽形成に影響無い植物、又植物の生産の為の生育スピードを上げるための利用可能な複合波形制御装置が構築出来た。